(57)【要約】【課題】この発明は、より容易にメッセージの変更に対応できるエレベータのアナウンス装置を提供することを目的とするものである。【解決手段】アナウンス管理装置３，７は、エレベータ制御装置１１からの発報指令を検出した際に、該発報指令に基づいてメッセージを発報する。また、アナウンス管理装置３，７は、メッセージの発報状況を、伝送制御装置１２を介してエレベータ制御装置１１に入力する。エレベータ制御装置１１は、該メッセージの発報状況に基づいて、アナウンス管理装置３，７への発報指令の出力を制御することで、アナウンス管理装置３，７の発報開始タイミングを制御する。【選択図】図１
2007290851.tif 000002
【特許請求の範囲】
【請求項１】
発報指令を出力する発報制御機能と、
上記発報制御機能からの発報指令を検出した際に、該発報指令に基づいて、エレベータ利用者に対してメッセージを発報する発報機能と
を備え、
上記発報機能は、メッセージの発報状況を上記発報制御機能に入力し、
上記発報制御機能は、上記メッセージの発報状況に基づいて、上記発報機能への発報指令の出力を制御することで、上記発報機能の発報開始タイミングを制御することを特徴とするエレベータのアナウンス装置。
【請求項２】
上記発報制御機能は、上記メッセージの発報状況に基づいて、上記発報機能がメッセージを発報しているか否かを判定し、上記発報機能がメッセージを発報していると判定した場合、該メッセージの発報が終了するまで上記発報機能への発報指令の出力を抑止することを特徴とする請求項１記載のエレベータのアナウンス装置。
【請求項３】
上記発報機能が上記発報制御機能に入力する上記メッセージの発報状況には、どのメッセージを発報しているのかを示す識別情報が含まれており、
上記発報制御機能は、上記メッセージの発報状況に基づいて、出力した発報指令に基づくメッセージが発報されたか否かを判定し、該発報指令に基づくメッセージの発報に異常が生じたと判定した場合、上記発報機能に対して該発報指令を再出力することを特徴とする請求項１又は請求項２に記載のエレベータのアナウンス装置。
【請求項４】
上記発報制御機能は、かごの運転を制御する運転制御部からの情報に基づいて上記かごの運転状況を検出し、上記かごの運転状況に基づいて上記発報指令を作成することを特徴とする請求項１から請求項３までのいずれか１項に記載のエレベータのアナウンス装置。
【請求項５】
上記発報機能には、かごに配置されたかご発報手段と、乗場に配置された乗場発報手段とが含まれていることを特徴とする請求項１から請求項４までのいずれか１項に記載のエレベータのアナウンス装置。
【発明の詳細な説明】
【技術分野】
【０００１】
この発明は、エレベータ利用者に対してメッセージを発報するエレベータのアナウンス装置に関するものである。
【背景技術】
【０００２】
従来装置では、異なるメッセージが乗場とかごとで同時に発報されることを防止するために、エレベータ制御装置は、予め設定された優先度に基づいて、かご上及び乗場のいずれか一方の放送装置に対して優先的に発報指令を入力するとともに、該メッセージの発報が終了したことを検出した後に他方の放送装置に対して発報指令を入力する。エレベータ制御装置は、発報指令を出力した際に、メモリに格納されたメッセージ毎の発報時間を取得し、発報指令を発してからの経過時間に基づいてメッセージが発報されているか否かを判定する（例えば、特許文献１参照）。
【０００３】
【特許文献１】特開平１１−２０９０１２号公報
【発明の開示】
【発明が解決しようとする課題】
【０００４】
上記のような従来装置では、発報指令を発してからの経過時間に基づいて、メッセージが発報されているか否かを判定するので、メッセージを変更する度に発報時間を設定する必要があり、その作業が煩わしい。
【０００５】
この発明は、上記のような課題を解決するためになされたものであり、その目的は、より容易にメッセージの変更に対応できるエレベータのアナウンス装置を提供することである。
【課題を解決するための手段】
【０００６】
この発明に係るエレベータのアナウンス装置は、発報指令を出力する発報制御機能と、発報制御機能からの発報指令を検出した際に、該発報指令に基づいて、エレベータ利用者に対してメッセージを発報する発報機能とを備え、発報機能は、メッセージの発報状況を発報制御機能に入力し、発報制御機能は、メッセージの発報状況に基づいて、発報機能への発報指令の出力を制御することで、発報機能の発報開始タイミングを制御する。
【発明の効果】
【０００７】
この発明のエレベータのアナウンス装置によれば、発報機能は、メッセージの発報状況を発報制御機能に入力し、発報制御機能は、メッセージの発報状況に基づいて、発報機能への発報指令の出力を制御することで、発報機能の発報開始タイミングを制御するので、メッセージの発報時間を設定しなくても異なるメッセージが同時に発報されることを防止することができ、より容易にメッセージの変更に対応できる。
【発明を実施するための最良の形態】
【０００８】
以下、この発明を実施するための最良の形態について、図面を参照して説明する。
実施の形態１．
図１は、この発明の実施の形態１によるエレベータのアナウンス装置を示す構成図である。図において、かご１には、かご１内のエレベータ利用者に対してメッセージを発報するかご発報手段２が配置されている。かご発報手段２には、かごアナウンス管理装置３と、メッセージを発報するためのかご音響スピーカ４とが含まれている。
【０００９】
各階の乗場には、乗場のエレベータ利用者に対してメッセージを発報する乗場発報手段６がそれぞれ配置されている。乗場発報手段６には、各階の乗場にそれぞれ配置された乗場アナウンス管理装置７と、メッセージを発報するための乗場音響スピーカ８とが含まれている。
【００１０】
昇降路内（又は昇降路上部の機械室）には、エレベータ制御盤１０が配置されている。エレベータ制御盤１０には、エレベータ全体の動作を制御するエレベータ制御装置１１と、伝送制御装置１２とが設けられている。エレベータ制御装置１１及び伝送制御装置１２は、かご信号伝送路１３を介してかごアナウンス管理装置３に接続されている。また、エレベータ制御装置１１及び伝送制御装置１２は、乗場信号伝送路１４を介して各階の乗場アナウンス管理装置７に接続されている。
【００１１】
エレベータ制御装置１１は、伝送制御装置１２に対して発報指令を出力する。伝送制御装置１２は、エレベータ制御装置１１から入力された発報指令がどのアナウンス管理装置３，７に対する指令であるかを検出する。また、伝送制御装置１２は、該検出結果に基づいて信号伝送路１３，１４を選択し、該信号伝送路１３，１４を介して、所定のアナウンス管理装置３，７に対して発報指令を出力する。アナウンス管理装置３，７は、エレベータ制御装置１１からの発報指令を検出した際に、該発報指令に基づいてメッセージを発報する。即ち、エレベータ制御装置１１及び伝送制御装置１２は、アナウンス管理装置３，７に対して発報指令を出力することで、アナウンス管理装置３，７の動作を制御している。
【００１２】
次に、図２は、図１のエレベータ制御装置１１を示すブロック図である。図において、エレベータ制御装置１１には、制御装置本体１５と制御装置メモリ１６とが設けられている。制御装置本体１５には、運転制御部２０と、発報指令作成部２１と、出力可否判定部２２と、制御装置通信制御部２３と、発報状況モニタ部２４とが含まれている。制御装置メモリ１６には、発報条件記憶部２５と発報指令一時記憶部２６とが含まれている。なお、制御装置本体１５は、プログラム等の情報を格納する情報格納部（ＲＡＭ及びＲＯＭ）と、情報格納部に格納されている情報に基づいて演算処理を行う演算部（ＣＰＵ）とを有するコンピュータである。
【００１３】
運転制御部２０は、かご１の運転を制御する。発報指令作成部２１は、運転制御部２０からの運転状況情報に基づいて、かご１の運転状況を検出する。発報条件記憶部２５には、例えばかご１が１階に着床されたときに１階着床時のメッセージを発報させる等、どの運転状況のときに、どのメッセージを発報させるかについての情報（以下、発報条件と呼ぶ）が記憶されている。
【００１４】
発報指令作成部２１は、検出したかごの運転状況を発報条件記憶部２５の発報条件と比較する。また、発報指令作成部２１は、所定の発報条件が満たされた場合に、該発報条件に該当する発報指令を作成する。なお、発報指令には、メッセージの識別情報であるグループ番号と、発報開始指令とが含まれている。メッセージのグループ番号については、後に詳しく説明する。
【００１５】
出力可否判定部２２は、発報指令作成部２１が作成した発報指令を、発報指令一時記憶部２６に一時記憶させる。また、出力可否判定部２２は、制御装置通信制御部２３を介して該発報指令を伝送制御装置１２に出力する。伝送制御装置１２は、該発報指令を所定のアナウンス管理装置３，７に入力する。アナウンス管理装置３，７は、後に詳しく説明するメッセージの発報状況を示す監視用信号をエレベータ制御装置１１に入力する。発報状況モニタ部２４は、アナウンス管理装置３，７からの監視用信号に基づいてメッセージの発報状況を監視する。
【００１６】
発報状況モニタ部２４は、アナウンス管理装置３，７からの監視用信号に基づいて、メッセージを発報しているアナウンス管理装置３，７が有るか否かを判定する。出力可否判定部２２は、メッセージを発報しているアナウンス管理装置３，７が有ると発報状況モニタ部２４によって判定された場合、該メッセージの発報が終了したと発報状況モニタ部２４によって判定されるまで発報指令の出力を抑止する。即ち、出力可否判定部２２は、メッセージの発報状況に基づいて発報指令の出力を制御することで、アナウンス管理装置３，７のメッセージの発報の開始タイミングを制御する。
【００１７】
ここで、エレベータ制御装置１１からアナウンス管理装置３，７に送信される発報指令は、伝送制御装置１２及び信号伝送路１３，１４を通るときに、例えばノイズの影響等で内容が変わってしまうことがある。具体的には、例えば１階着床時の発報指令が、２階着床時の発報指令に変わってしまうことがある。
【００１８】
発報状況モニタ部２４は、アナウンス管理装置３，７からの監視用信号に基づいて、どのメッセージが発報されているのかを検出する。出力可否判定部２２は、発報指令を出力した後に、該発報指令に基づくメッセージが発報されているかどうかを判定する。また、出力可否判定部２２は、出力した発報指令に基づくメッセージの発報に異常が生じていると判定した場合、該発報指令を発報指令一時記憶部２６から取得するともに、該発報指令を再出力する。なお、この実施の形態では、アナウンス装置は、発報制御機能（伝送制御装置１２、発報指令作成部２１、出力可否判定部２２、制御装置通信制御部２３、発報状況モニタ部２４、発報条件記憶部２５、及び発報指令一時記憶部２６）と、発報機能（かご発報手段２及び乗場発報手段６）とを有している。
【００１９】
次に、図３は、図２のかごアナウンス管理装置３及び乗場アナウンス管理装置７を示すブロック図である。図において、アナウンス管理装置３，７には、管理装置本体３０と、管理装置メモリ３１と、音声合成装置３２と、増幅器３３とが設けられている。管理装置本体３０には、管理装置通信制御部３５と、メッセージ選択部３６と、発報状況検出部３７とが含まれている。なお、管理装置本体３０は、プログラム等の情報を格納する情報格納部（ＲＡＭ及びＲＯＭ）と、情報格納部に格納されている情報に基づいて演算処理を行う演算部（ＣＰＵ）とを有するコンピュータ（ワンチップマイクロプロセッサ）である。
【００２０】
管理装置メモリ３１には、音声データ記憶部３９が含まれている。音声データ記憶部３９は、メッセージの音声データを記憶している。具体的には、音声データ記憶部３９は、例えば「気をつけて」、及び「お降り下さい」等、１つ又は２つ以上の文節で区切られた音声データを記憶している。即ち、メッセージは、複数の音声データが組み合わされることで形成される。発報指令に含まれているメッセージのグループ番号は、各音声データの集合を示している。
【００２１】
管理装置通信制御部３５は、エレベータ制御装置１１からの発報指令をメッセージ選択部３６に入力する。メッセージ選択部３６は、該発報指令に基づいて、各音声データを示す情報を音声合成装置３２に入力する。音声合成装置３２は、メッセージ選択部３６からの情報に基づいて、所定順序で音声データ記憶部３９から音声データを所得する。また、音声合成装置３２は、音声データ記憶部３９から取得した音声データに基づいて音声を合成する。増幅器３３は、音声合成装置３２によって合成された音声を増幅する。音響スピーカ４，８は、増幅器３３によって合成された音声を発報する。
【００２２】
また、メッセージ選択部３６は、該発報指令に含まれているメッセージのグループ番号と、該グループに含まれている音声データを示す情報とを、発報状況検出部３７に入力する。音声合成装置３２は、音声データ記憶部３９から取得した音声データを示す情報を発報状況検出部３７に入力する。発報状況検出部３７は、メッセージ選択部３６からの情報と、音声合成装置３２からの情報とを比較して、メッセージの発報状況を検出する。具体的には、発報状況検出部３７は、メッセージ選択部３６からのグループ番号に基づいて、どのメッセージが発報されるのかを検出するとともに、メッセージ選択部３６から音声データを示す情報と検出した音声データとを比較して、メッセージの発報が実施中であるか終了したかを検出する。即ち、メッセージの発報状況には、メッセージが発報されているか否かの情報と、どのメッセージが発報されているのかを示す識別情報とが含まれている。
【００２３】
さらに、発報状況検出部３７は、検出したメッセージの発報状況を監視用信号として、管理装置通信制御部３５及び伝送制御装置１２を介して、エレベータ制御装置１１に入力する。エレベータ制御装置１１は、発報状況検出部３７からの監視用信号に基づいて、メッセージが発報されているか否かを判定するとともに、出力した発報指令に基づくメッセージが発報されているかどうかを判定する。
【００２４】
次に、動作について説明する。図４は、図２の出力可否判定部２２による発報指令の一時記憶制御動作を示すフローチャートである。図において、エレベータ制御装置１１の電源が投入されると、発報指令作成部２１が発報指令を作成したか否かが判定される（ステップＳ１）。このとき、かご１の運転状況が所定の発報条件を満たしたと発報指令作成部２１によって判定されることで、発報指令が作成された場合、該発報指令が発報指令一時記憶部２６に一時記憶される（ステップＳ２）。この発報指令の一時記憶制御動作は、エレベータ制御装置１１の電源が投入されている間、繰り返し行われる。
【００２５】
次に、図５は、図２の出力可否判定部２２による発報指令の出力制御動作を示すフローチャートである。図において、エレベータ制御装置１１の電源が投入されると、発報指令一時記憶部２６に発報指令が一時記憶されているか否かが判定される（ステップＳ１０）。このとき、一時記憶している発報指令が無いと判定された場合、この発報指令の出力制御動作が終了される。
【００２６】
これに対して、一時記憶している発報指令が有ると判定された場合、その時点でメッセージを発報しているアナウンス管理装置３，７があるか否かが判定される（ステップＳ１１）。
【００２７】
このとき、メッセージを発報しているアナウンス管理装置３，７が有ると判定された場合、該メッセージの発報が終了されるまで発報指令の出力が抑止される（ステップＳ１２）。
【００２８】
これに対して、メッセージを発報しているアナウンス管理装置３，７が無いと判定された場合、又はメッセージの発報が終了したと判定された場合、伝送制御装置１２に対して発報指令が出力されるとともに（ステップＳ１３）、該発報指令が伝送制御装置１２に所定のアナウンス管理装置３，７に送信される。
【００２９】
その次に、該発報指令に基づくメッセージが正常に（間違い無く）発報されたかどうかが、発報状況モニタ部２４からの情報に基づいて判定され（ステップＳ１４）、該発報指令に基づくメッセージの発報に異常が生じていると判定された場合、メッセージを発報しているアナウンス管理装置３，７が有るか否かが再度判定された上で、発報指令が再出力される。これに対して、発報指令に基づくメッセージが正常に発報されたと判定された場合、該発報指令の一時記憶が削除されるとともに（ステップＳ１５）、この発報指令の出力制御動作が終了される。なお、この発報指令の出力制御動作は、エレベータ制御装置１１の電源が投入されている間、発報指令の一時記憶制御動作と並列して繰り返し行われる。
【００３０】
このようなエレベータのアナウンス装置では、アナウンス管理装置３，７は、メッセージの発報状況を、伝送制御装置１２を介してエレベータ制御装置１１に入力し、エレベータ制御装置１１は、該メッセージの発報状況に基づいて、アナウンス管理装置３，７への発報指令の出力を制御することで、発報機能の発報開始タイミングを制御するので、メッセージの発報時間を設定しなくても異なるメッセージが同時に発報されることを防止することができ、より容易にメッセージの変更に対応できる。
【００３１】
また、エレベータ制御装置１１は、メッセージの発報状況に基づいて、アナウンス管理装置３，７発報機能がメッセージを発報しているか否かを判定し、発報機能がメッセージを発報していると判定した場合、該メッセージの発報が終了するまで発報機能への発報指令の出力を抑止するので、より確実に異なるメッセージが同時に発報されることを防止することができる。
【００３２】
さらに、エレベータ制御装置１１は、メッセージの発報状況に基づいて、出力した発報指令に基づくメッセージが発報されたか否かを判定し、該発報指令に基づくメッセージの発報に異常が生じたと判定した場合、アナウンス管理装置３，７に対して該発報指令を再出力するので、伝送途中で発報指令に異常が生じたとしても、所望のメッセージをより確実に発報させることができる。
【００３３】
さらにまた、エレベータ制御装置１１は、かご１の運転状況に基づいて発報指令を作成するので、かご１の運転状況に応じたメッセージを発報させることができ、エレベータ利用者の利便性を向上させることができる。
【００３４】
また、エレベータ制御装置１１は、かご発報手段２と乗場発報手段６とが同時にメッセージを発報することを防止するので、それらから発報されるメッセージを聞き取りやすくすることができ、エレベータ利用者の利便性を向上させることができる。
【図面の簡単な説明】
【００３５】
【図１】この発明の実施の形態１によるエレベータのアナウンス装置を示す構成図である。
【図２】図１のエレベータ制御装置を示すブロック図である。
【図３】図２のかごアナウンス管理装置及び乗場アナウンス管理装置を示すブロック図である。
【図４】図２の出力可否判定部による発報指令の一時記憶制御動作を示すフローチャートである。
【図５】図２の出力可否判定部による発報指令の出力制御動作を示すフローチャートである。
【符号の説明】
【００３６】
１  かご、２  かご発報手段、６  乗場発報手段、１１  エレベータ制御装置、１２  伝送制御装置、２０  運転制御部、２１  発報指令作成部、２２  出力可否判定部、２３  制御装置通信制御部、２４  発報状況モニタ部、２５  発報条件記憶部、２６  発報指令一時記憶部。
【図１】
2007290851.tif 000003
【図２】
2007290851.tif 000004
【図３】
2007290851.tif 000005
【図４】
2007290851.tif 000006
【図５】
2007290851.tif 000007